(57)【要約】【課題】少ない部品点数でかつ簡単な構造でフレキシブルチューブを固定でき、コストの上昇を抑制できるフレキシブルチューブの固定構造を提供する。【解決手段】フレキシブルチューブ１に装着されたコネクタ３と、該コネクタ３を前記固定部材２に固定する固定リング４とを備え、前記コネクタ３は、内周面に前記フレキシブルチューブ１の凸条１ａに係合する凹条３ｂを有し、前記固定部材の固定孔２ａに挿通される筒部３ａと、該筒部３ａに形成されたフランジ部３ｃとを有し、前記筒部３ａの係止溝３ｄ前記固定リング４を係止させたとき、該固定リング４と前記フランジ部３ｃとで前記固定部材２を挟持する。【選択図】      図３
0003147688.tif 000002
【実用新案登録請求の範囲】
【請求項１】
外周面に環状の凸条が所定ピッチで形成されたフレキシブルチューブを固定部材に固定するための固定構造であって、
前記フレキシブルチューブに装着されたコネクタと、該コネクタを前記固定部材に固定する固定リングとを備え、
前記コネクタは、内周面に前記フレキシブルチューブの凸条に係合する凹条を有し、前記固定部材の固定孔に挿通される筒部と、該筒部に形成されたフランジ部とを有し、
前記筒部の外周面には前記固定リングを係止させる係止溝が形成され、該係止溝に前記固定リングを係止させたとき、該固定リングと前記フランジ部とで前記固定部材を挟持する
ことを特徴とするフレキシブルチューブの固定構造。
【請求項２】
請求項１に記載のフレキシブルチューブの固定構造において、
前記コネクタは、軸心を含む平面に沿って２分割されている
ことを特徴とするフレキシブルチューブの固定構造。
【請求項３】
請求項１に記載のフレキシブルチューブの固定構造において、
前記コネクタと固定部材との当接部には、緩衝リングが介設されている
ことを特徴とするフレキシブルチューブの固定構造。
【請求項４】
請求項３に記載のフレキシブルチューブの固定構造において、
前記固定部材の固定孔の縁部には、切欠き溝が形成され、前記緩衝リングには、該切欠き溝に係合する回り止め部が形成されている
ことを特徴とするフレキシブルチューブの固定構造。
【考案の詳細な説明】
【技術分野】
【０００１】
本考案は、外周面に環状の凸条が所定ピッチで形成されたフレキシブルチューブの固定構造に関する。
【背景技術】
【０００２】
この種のフレキシブルチューブの固定構造として、例えば、特許文献１には、スライド形のストッパリングと、該ストッパリングに配置された内側リングと、該内側リングとストッパリングとを接続するウェブと、フレキシブルチューブが挿入された際に該チューブに係合するロック用爪とを備えたものが提案されている。
【特許文献１】特開平４−２３１７８８号公報
【考案の開示】
【考案が解決しようとする課題】
【０００３】
ところで、前記従来のフレキシブルチューブの固定構造では、部品点数が多く、構造も複雑であることから、コストが上昇するという問題がある。
【０００４】
本考案は、前記従来の状況に鑑みてなされたもので、少ない部品点数でかつ簡単な構造でフレキシブルチューブを固定でき、コストの上昇を抑制できるフレキシブルチューブの固定構造を提供することを課題としている。
【課題を解決するための手段】
【０００５】
請求項１の考案は、外周面に環状の凸条が所定ピッチで形成されたフレキシブルチューブを固定部材に固定するための固定構造であって、前記フレキシブルチューブに装着されたコネクタと、該コネクタを前記固定部材に固定する固定リングとを備え、前記コネクタは、内周面に前記フレキシブルチューブの凸条に係合する凹条を有し、前記固定部材の固定孔に挿通される筒部と、該筒部に形成されたフランジ部とを有し、前記筒部の外周面には前記固定リングを係止させる係止溝が形成され、該係止溝に前記固定リングを係止させたとき、該固定リングと前記フランジ部とで前記固定部材を挟持することを特徴としている。
【０００６】
ここで本発明では、フレキシブルチューブは環状の凸条を、筒部は凹条を備えているが、見方を変えると、前記凸条同士の間の部分は凹条をなしており、凹条同士の間の部分は凸条をなしているとも言える。従って本発明のフレキシブルチューブは凹条を有し、コネクタは凸条を有するとも言える。
【０００７】
請求項２の発明は、請求項１に記載のフレキシブルチューブの固定構造において、前記コネクタは、軸心を含む平面に沿って２分割されていることを特徴としている。
【０００８】
請求項３の発明は、請求項１に記載のフレキシブルチューブの固定構造において、前記コネクタと固定部材との当接部には、緩衝リングが介設されていることを特徴としている。
【０００９】
請求項４の発明は、請求項３に記載のフレキシブルチューブの固定構造において、前記固定部材の固定孔の縁部には、切欠き溝が形成され、前記緩衝リングには、該切欠き溝に係合する回り止め部が形成されていることを特徴としている。
【考案の効果】
【００１０】
本考案のフレキシブルチューブを固定するには、コネクタの筒部の凹条をフレキシブルチューブの凸条に係合させ、筒部を固定部材の固定孔に挿通させるとともにフランジ部を固定部材に当接させ、この状態で筒部の係止溝に固定リングを差し込む。これにより、フレキシブルチューブはコネクタにより軸方向に移動不能に支持され、該コネクタはフランジ部と固定リングとで固定部材を挟持することにより固定される。
【００１１】
請求項１の考案に係る固定構造によれば、フレキシブルチューブにコネクタを装着し、該コネクタに固定リングを係合させることにより該固定リングとコネクタのフランジ部とで固定部材を挟持するように構成したので、２つの部品でフレキシブルチューブを固定部材に固定することができ、従来構造に比べて部品点数を削減できるとともに構造を簡単にでき、部品コストを削減できる。
【００１２】
請求項２の考案では、コネクタを２つに分割したので、分割したコネクタ半体をフレキシブルチューブの途中部分に外側から組み合わせることができ、長尺もののフレキシブルチューブの途中部分を固定部材に固定できる。
【００１３】
請求項３の発明では、コネクタと固定部材との間に緩衝リングを介設したので、例えば樹脂製のコネクタを金属製の固定部材に固定する場合の、該コネクタの磨耗を防止できる。
【００１４】
請求項４の発明では、緩衝リングに、固定部材の切欠き溝に係合する回り止め部を形成したので、該緩衝リングの回転を防止できるとともに、固定部材への位置決めを簡単に行うことができる。
【考案を実施するための最良の形態】
【００１５】
以下、本考案の実施の形態を添付図面に基づいて説明する。
【００１６】
図１ないし図６は、本考案の一実施形態によるフレキシブルチューブの固定構造を説明するための図であり、図１はフレキシブルチューブの固定状態の斜視図、図２はフレキシブルチューブの固定状態の分解斜視図、図３はフレキシブルチューブの固定状態の断面図（図１のIII-III線断面図）、図４はコネクタ及び緩衝リングの斜視図、図５は固定リングの斜視図、図６は固定部材の斜視図である。
【００１７】
図において、１はフレキシブルチューブであり、該フレキシブルチューブ１は、外周面に環状の凸条１ａが所定ピッチで形成された樹脂製円筒状のものである。該フレキシブルチューブ１は、例えば工作機械の配電盤に電源を供給する多数本の配電線が挿通され、該配電線を外力から保護するとともに、外観を高めるためのものである。
【００１８】
前記フレキシブルチューブ１が固定される固定部材２は、例えば制御盤，配線盤，電源ボックス等の金属製ケース、あるいはカバーからなる。
【００１９】
本実施形態固定構造は、前記フレキシブルチューブ１に装着されるとともに該チューブ１を支持するコネクタ３と、該コネクタ３を前記固定部材２の固定孔２ａに着脱可能に固定する固定リング４と、前記コネクタ３と固定部材２との間に介設される緩衝リング５とを備えており、詳細には、以下の構造となっている。
【００２０】
前記コネクタ３は、樹脂製であり、前記固定部材２の固定孔２ａに挿通される円筒状の筒部３ａと、該筒部３ａの一端に一体形成され、該コネクタ３の軸方向移動を阻止するフランジ部３ｃとを有する。
【００２１】
前記筒部３ａの内周面には、前記フレキシブルチューブ１の凸条１ａに係合する凹条３ｂが形成されている。なお、見方を変えれば、フレキシブルチューブ１の外面に凹条が形成され、筒部３ａの内面に凸条が形成されているとも言える。また前記筒部３ａの外周面には前記固定リング４が係止する係止溝３ｄが形成されている。また前記筒部３ａの外周面には、突起部３ｆが所定の角度間隔毎に、具体的には９０度毎に形成されている。この突起部３ｆは、該コネクタ３の筒部３ａと前記固定部材２の固定孔２ａとの間の寸法誤差を吸収するよう作用する。
【００２２】
前記コネクタ３は、軸心を含む平面に沿って２分割されており、該分割されたコネクタ半体３′，３′はフレキシブルチューブ１に外側から係合している。
【００２３】
また前記筒部３ａの端面には紐状をなす係止片３ｅが形成されている。この係止片３ｅを前記固定リング４に係止させることにより、該固定リング４の脱落を防止することができる。
【００２４】
前記緩衝リング５は、樹脂又はゴム製であり、前記コネクタ３の筒部３ａとフランジ部３ｃとのコーナ部に配置されており、該コネクタ３が固定部材２に直接接触して磨耗するのを防止している。
【００２５】
前記緩衝リング５には、回り止め部５ａが形成されている。該回り止め部５ａは、前記固定部材２の固定孔２ａの下縁部に形成された切欠き溝２ｂに係合することにより、緩衝リング５が回転するのを防止している。
【００２６】
また緩衝リング５の回り止め部５ａの径方向反対側には、スリット５ｂが形成されており、これにより緩衝リング５は、回り止め部５ａを支点に径方向に拡開可能となっており、前記筒部３ａとフランジ部３ｃとのコーナ部への装着を可能としている。
【００２７】
前記固定リング４は、板金製であり、半円形状をなす帯板状のリング本体４ａと、該リング本体４ａに一体形成された把手部４ｂとを有する。この把手部４ｂの内縁部には凹部４ｄが切欠き形成されている。この凹部４ｄは、固定リング４がコネクタ３に装着されたときに外方に露出する。この凹部４ｄに工具を係止させることにより該固定リング４を容易に取り外すことができる。また前記把手部４ｂには、前記係止部３ｅが係止される係止孔４ｅが形成されている。
【００２８】
前記固定リング４は、リング本体４ａをコネクタ３の係止溝３ｄ内に差し込むことにより、該コネクタ３を固定部材２に固定している。詳細には、固定リング４とフランジ部３ｃとで固定部材２の固定孔２ａの周縁部を緩衝リング５を介在させた状態で挟持する。
【００２９】
また前記固定リング４を係止溝３ｄに差し込むことにより、該固定リング４が固定部材２をフランジ部３ｃ側に押圧する。これによりコネクタ３は固定部材２に押圧固定される。
【００３０】
前記フレキシブルチューブ１を固定部材２に固定するには、両コネクタ半体３′，３′をフレキシブルチューブ１の端部に外側から組み付けることにより凸条１ａと凹条３ｂとを嵌合させる。そして筒部３ａに緩衝リング５を拡開させながら装着し、該筒部３ａを緩衝リング５と共に固定部材２の固定孔２ａ内に挿入し、フランジ部３ｃを緩衝リング５を介在させて固定部材２に当接させるとともに、回り止め部５ａを切欠き溝２ｂに係合させる。そしてこの状態で固定リング４を筒部３ａの係止溝３ｄに径方向に押し込む。
【００３１】
フレキシブルチューブ１を固定部材２から外すには、固定部材２の内側（図３の矢印ａ参照）から固定リング４の凹部４ｄ内に工具、例えばマイナスドライバー（不図示）を挿入し、これにより固定リング４を係止溝３ｄから取り外し、これによりコネクタ３、ひいてはフレキシブルチューブ１の取り外しが可能となる。
【００３２】
本実施形態によれば、フレキシブルチューブ１を軸方向移動不能に支持するコネクタ３と、該コネクタ３を固定部材２に固定する固定リング４とを備えたので、２つの部品でフレキシブルチューブ１を固定部材２に固定することができ、従来構造に比べて少ない部品点数で、かつ簡単な構造で固定でき、コストの上昇を抑制できる。
【００３３】
本実施形態では、前記コネクタ３を軸線を含む平面に沿って２つに分割したので、分割した両コネクタ半体３′，３′をフレキシブルチュー１に外側から組み合わせることで簡単にコネクタ３をフレキシブルチューブ１に係合させることができ、長尺のフレキシブルチューブ１の中途部分を固定する場合の作業性を向上できる。
【００３４】
本実施形態では、前記コネクタ３と固定部材２との当接部に緩衝リング５を介設したので、樹脂製のコネクタ３を金属製の固定部材２に固定する場合の、該コネクタ３の磨耗を防止できる。
【００３５】
前記緩衝リング５に、固定部材２の固定孔２ａの切欠き溝２ｂに係合する回り止め部５ａを形成したので、該緩衝リング５の回転を防止できるとともに、固定部材２への位置決めを簡単に行うことができる。
【００３６】
また、コネクタ３の筒部３ａの外周面に突起部３ｆを形成したので、該コネクタ３の筒部３ａの外径と前記固定部材２の固定孔２ａの内径との間の寸法誤差を吸収でき、コネクタ３を固定部材２に確実に固定できる。
【００３７】
なお、前記実施形態では、フレキシブルチューブ１の端部を固定部材２に固定する場合を説明したが、本発明の適用範囲は、フレキシブルチューブの端部の固定に限られるものではなく、長手方向の任意の部位を固定する場合にも適用できる。
【図面の簡単な説明】
【００３８】
【図１】本考案の一実施形態によるフレキシブルチューブの固定状態の斜視図である。
【図２】前記フレキシブルチューブの固定状態の分解斜視図である。
【図３】前記フレキシブルチューブの固定状態の断面図（図１のIII-III線断面図）である。
【図４】前記実施形態のコネクタ及び緩衝リングの分解斜視図である。
【図５】前記実施形態の固定リングの斜視図である。
【図６】前記実施形態の固定部材の斜視図である。
【符号の説明】
【００３９】
１  フレキシブルチューブ
１ａ  凸条
２  固定部材
２ａ  固定孔
２ｂ  切欠き溝
３  コネクタ
３ａ  筒部
３ｂ  凹条
３ｃ  フランジ部
３ｄ  係止溝
４  固定リング
５  緩衝リング
５ａ  回り止め部
【図１】
0003147688.tif 000003
【図２】
0003147688.tif 000004
【図３】
0003147688.tif 000005
【図４】
0003147688.tif 000006
【図５】
0003147688.tif 000007
【図６】
0003147688.tif 000008